(57)【要約】      （修正有）【課題】配信動画中に外部情報バナーを再生する方法および再生システムを提供する。【解決手段】外部情報バナーを再生する方法は、再生したい配信動画に対応する外部情報要求パラメータを取得して、再生システムは配信動画の再生を開始して、取得された外部情報要求パラメータに基づいて、対応する外部情報バナーを再生するステップを含む。再生システムのセレクタが動画データベース中における格納された外部情報要求パラメータに基づいて外部情報バナーデータベースから、対応する外部情報バナーを選択して、再生手段が配信動画および選択された外部情報バナーを再生する。このうち、外部情報バナーと配信動画の一部とが重なる。【選択図】図８ａ
2009105885.tif 000002
【特許請求の範囲】
【請求項１】
配信動画に外部情報を再生する方法であって、
配信動画を再生するステップと、
外部情報要求パラメータを取得するステップと、
前記外部情報要求パラメータに基づいて対応する外部情報バナーを同期して再生するステップと、を含み、前記外部情報バナーは前記配信動画の一部と重なっており、前記外部情報バナーは外部情報に接続される、ことを特徴とする外部情報を再生する方法。
【請求項２】
前記外部情報が広告動画である、ことを特徴とする請求項１に記載の外部情報を再生する方法。
【請求項３】
前記外部情報がメディア動画である、ことを特徴とする請求項１に記載の外部情報を再生する方法。
【請求項４】
前記外部情報要求パラメータとして、前記配信動画中の動画内容バナーを設定するものをさらに含む、ことを特徴とする請求項１に記載の外部情報を再生する方法。
【請求項５】
前記動画内容バナーが動画タイトルを含む、ことを特徴とする請求項４に記載の外部情報を再生する方法。
【請求項６】
前記動画内容バナーが動画のダイジェストを含む、ことを特徴とする請求項４に記載の外部情報を再生する方法。
【請求項７】
前記動画内容バナーが動画タグを含む、ことを特徴とする請求項４に記載の外部情報を再生する方法。
【請求項８】
前記動画内容バナーが、前記配信動画の特定部分に対応しており、前記対応する外部情報バナーを同期して再生するものが、
前記配信動画の前記特定部分で前記外部情報バナーを再生するものを含む、ことを特徴とする請求項４に記載の外部情報を再生する方法。
【請求項９】
前記外部情報要求パラメータとして、前記配信動画の出所特徴を設定するものをさらに含む、ことを特徴とする請求項１に記載の外部情報を再生する方法。
【請求項１０】
前記出所特徴が企業主情報を含む、ことを特徴とする請求項９に記載の外部情報を再生する方法。
【請求項１１】
前記出所特徴がユーザ情報を含む、ことを特徴とする請求項９に記載の外部情報を再生する方法。
【請求項１２】
前記外部情報要求パラメータとして、ユーザが定義したキーワードを設定するものをさらに含む、ことを特徴とする請求項１に記載の外部情報を再生する方法。
【請求項１３】
対応する外部情報バナーを同期して再生するものが、前記配信動画の特定動画の秒数にて前記外部情報バナーを再生するものをさらに含む、ことを特徴とする請求項１に記載の外部情報を再生する方法。
【請求項１４】
対応する外部情報バナーを同期して再生するものが、絶対時間にて前記外部情報バナーを再生するものをさらに含む、ことを特徴とする請求項１に記載の外部情報を再生する方法。
【請求項１５】
対応する外部情報バナーを同期して再生するものが、前記配信動画において前記外部情報要求パラメータが発生する秒数にて、前記外部情報バナーを再生するものをさらに含む、ことを特徴とする請求項１に記載の外部情報を再生する方法。
【請求項１６】
前記外部情報の特徴条件を設定するステップと、
前記特徴条件と前記外部情報要求パラメータとを比較するステップと、
もし比較が一致していれば、対応する前記外部情報バナーを同期して再生するステップと、をさらに含む、ことを特徴とする請求項１に記載の外部情報を再生する方法。
【請求項１７】
外部情報要求パラメータを取得するものが、前記配信動画の映像内容を分析するものをさらに含む、ことを特徴とする請求項１に記載の外部情報を再生する方法。
【請求項１８】
外部情報要求パラメータを取得するものが、前記配信動画の音声内容を分析するものをさらに含む、ことを特徴とする請求項１に記載の外部情報を再生する方法。
【請求項１９】
前記外部情報バナーにて起動コマンドを受信するステップと、
前記配信動画を一時停止するとともに、前記外部情報を再生するステップと、をさらに含む、ことを特徴とする請求項１に記載の外部情報を再生する方法。
【請求項２０】
前記配信動画を一時停止するものが、
前記配信動画の一時停止した時点を記録し、
前記外部情報の再生が完了したとき、前記配信動画を前記一時停止した時点から引き続き再生するものを含む、ことを特徴とする請求項１９に記載の外部情報を再生する方法。
【請求項２１】
もし前記外部情報バナーが終了コマンドを受信した場合、前記外部情報バナーの表示を取り消すものをさらに含む、ことを特徴とする請求項１に記載の外部情報を再生する方法。
【請求項２２】
前記外部情報バナーと前記配信動画の一部とが重なるものが、前記外部情報バナーと前記配信動画の映像とが重なるものを含む、ことを特徴とする請求項１に記載の外部情報を再生する方法。
【請求項２３】
前記外部情報バナーと前記配信動画の一部とが重なるものが、前記外部情報バナーと前記配信動画の信号とが重なるものを含む、ことを特徴とする請求項１に記載の外部情報を再生する方法。
【請求項２４】
配信動画中に外部情報を再生するのに適した動画再生システムであって、前記動画再生システムは、
複数の外部情報に接続されうる複数の外部情報バナーを格納する外部情報バナーデータベースと、
配信動画と、前記配信動画に関連する外部情報要求パラメータとを格納する動画データベースと、
前記動画データベースおよび前記外部情報バナーデータベースに接続されており、前記外部情報要求パラメータに基づいて、複数の外部情報バナーのうちの一つを選択するセレクタと、
前記動画データベースおよび前記外部情報バナーデータベースに接続されることで、前記配信動画および選択された前記外部情報バナーを再生する再生手段と、を備え、
前記外部情報バナーと前記配信動画の一部とが重なる、ことを特徴とする動画再生システム。
【請求項２５】
前記外部情報が広告動画である、ことを特徴とする請求項２４に記載の動画再生システム。
【請求項２６】
前記再生手段および前記外部情報バナーデータベースに接続されて、前記再生手段が前記配信動画を特定動画の秒数再生したとき、外部情報バナーを再生するタイマをさらに備えた、ことを特徴とする請求項２４に記載の動画再生システム。
【請求項２７】
前記外部情報バナーデータベースが、前記複数の外部情報バナーに対応する複数の外部情報特徴条件をさらに格納し、前記システムが、
前記動画データベースおよび前記外部情報バナーデータベースに接続され、前記外部情報特徴条件と前記外部情報要求パラメータとを比較するための比較器をさらに備えた、ことを特徴とする請求項２４に記載の動画再生システム。
【請求項２８】
前記動画データベースに接続され、外部情報要求パラメータを設定するためのパラメータ設定手段をさらに備えた、ことを特徴とする請求項２４に記載の動画再生システム。
【請求項２９】
前記パラメータ設定手段が、前記配信動画の映像内容を分析して、前記外部情報要求パラメータとして設定する映像識別器を備えた、ことを特徴とする請求項２８に記載の動画再生システム。
【請求項３０】
前記パラメータ設定手段が、前記配信動画の音声内容を分析して、前記外部情報要求パラメータとして設定する音声識別器を備えた、ことを特徴とする請求項２８に記載の動画再生システム。
【請求項３１】
前記パラメータ設定手段が、前記配信動画中の動画バナー内容を構文解析して、前記外部情報要求パラメータとして設定する解析器を備えた、ことを特徴とする請求項２８に記載の動画再生システム。
【請求項３２】
前記パラメータ設定手段が、前記外部情報要求パラメータをユーザが手作業で設定する設定インターフェイスを備えた、ことを特徴とする請求項２８に記載の動画再生システム。
【請求項３３】
ユーザが起動コマンドまたは終了コマンドを前記外部情報バナーに入力するユーザーインターフェイスをさらに備えた、ことを特徴とする請求項２４に記載の動画再生システム。
【請求項３４】
前記再生手段が、前記ユーザが前記起動コマンドを入力し、前記再生手段が前記配信動画を一時停止したとき、一時停止した時点を記録するキャッシュを備えた、ことを特徴とする請求項２４に記載の動画再生システム。
【請求項３５】
前記外部情報バナーデータベースに接続され、前記複数の外部情報バナーに対応する複数の外部情報を格納する外部情報データベースをさらに備えた、ことを特徴とする請求項２４に記載の動画再生システム。
【発明の詳細な説明】
【技術分野】
【０００１】
本発明は配信動画中に外部情報を再生する方法、およびこの方法を応用した再生システムに関する。
【背景技術】
【０００２】
科学技術の日進月歩に伴って、近年来、インターネットは広く使用される重要なコミュニケーションメディアの一つとなっている。各ウェブサイト管理者は、大衆の閲覧のために、例えばポータルサイトや個人用サービスサイトなどの情報コンテンツをネット上に提供している。通常、コマーシャル提供者はウェブサイト管理者が管理するウェブページ画面を通じて、例えば、図１ａに示す横張り方式の広告やバナー広告１０２というように、そのウェブページの一部を借りて広告を掲載している。また、一部のウェブサイト管理者は、図１ｂに示すポップアップ広告１０４がウインドウに飛び出して閲覧中のウェブページの内容を覆うようなことも許可している。しかしながら、これら広告の掲載方式は、閲覧者が迷惑を被る上、ウェブページ上にランダムに掲載される広告は特定のユーザのニーズを対象とした物ではないため、広告の効果も高めることができない。
【０００３】
また、時代の変遷に伴って、テレビジョンおよび放送がさらにインターネットに整合されることで、インターネットテレビおよびインターネット放送がついに誕生している。および、現在、ウェブサイト管理者が提供している個人用サービスサイトでは、ユーザがビデオ動画をサイト上にアップロード、共有することができる。したがって、使用者はインターネットを通じて、簡単にオンラインでテレビやラジオ放送を視聴したり、または個人の動画音声を観賞できる。従来のテレビおよびラジオでは、広告が後から動画全般（または音声）中に組込まれるため、個人用のユーザのニーズに合わない。したがって、オンラインにおける動画・音声のウェブページ中に如何に広告を配置し、広告主のニーズおよび使用者のニーズに対して効果的に広告を掲載することで、広告効果を高めて、さらには動画・音声を観賞するユーザが迷惑とならないようにすることは、現在、研究するに値する主題となっている。
【発明の開示】
【発明が解決しようとする課題】
【０００４】
本発明の目的は、動画再生時に外部情報を再生することで、外部情報により優れた表現効果を持たせることができる再生システムを提供するところにある。
本発明の他の目的は、配信動画をユーザが観賞する際における障害を低減することができる配信動画中に外部情報を再生する方法を提供するところにある。
【課題を解決するための手段】
【０００５】
本発明の再生システムは主に、外部情報バナーデータベースと、ネットワークサーバと、動画データベースと、比較器と、セレクタと、再生手段と、タイマと、パラメータ設定手段とを備えている。好ましい実施例において、外部情報バナーデータベースおよび動画データベースはそれぞれネットワークサーバに接続されている。比較器およびセレクタは各々外部情報バナーデータベースに接続されている。ネットワークサーバはインターネットを介して再生手段に接続されている。一実施例において、タイマおよびパラメータ設定手段は各々再生手段に接続されている。
【０００６】
外部情報バナーデータベースには複数の外部情報バナーと、対応する複数の外部情報特徴条件テーブルが格納されており、そして外部情報特徴条件テーブルは複数の外部情報特徴条件を格納することができる。動画データベースには複数の配信動画と、対応する外部情報要求パラメータテーブルが格納されており、外部情報要求パラメータテーブル内には複数の外部情報要求パラメータを格納することができる。
【０００７】
パラメータ設定手段は、再生したい配信動画が対応する外部情報要求パラメータを設定するために再生手段に接続されている。異なる実施例において、パラメータ設定手段は、解析器、設定インターフェイスまたは識別装置といった異なる装置とすることができる。
【０００８】
比較器は動画データベース中に格納されている外部情報要求パラメータと、外部情報バナーデータベース中に格納されている外部情報バナーの外部情報特徴条件とを比較する。
再生手段は、インターネットを介して、動画データベースから配信動画を取得するとともに再生するものであり、セレクタは再生する配信動画に基づいて対応する外部情報要求パラメータテーブルを取得する。タイマは、一実施例においては、再生手段が配信動画を特定動画の秒数再生したとき、外部情報バナーを再生する。
【０００９】
本発明の一好ましい実施例において、配信動画にて外部情報を再生する方法は、外部情報要求パラメータを設定するステップと、外部情報要求パラメータを取得するステップと、外部情報特徴条件を設定するステップと、外部情報特徴条件と外部情報要求パラメータとを比較するステップと、配信動画を再生するステップと、特定時間を計算するステップと、外部情報バナーを配信動画中に再生するステップと、起動コマンドを受け取るステップと、配信動画を一時停止するとともに一時停止の時点を記録するステップと、外部情報に接続するとともにこれを再生するステップと、配信動画を一時停止の時点から引き続き再生するステップとを含む。
【発明を実施するための最良の形態】
【００１０】
本発明は、配信動画をユーザが観賞する際における障害を低減する状況で、ユーザのニーズまたは業者のニーズに合った外部情報を再生する、配信動画中で外部情報を再生する方法およびこの方法を応用した再生システムを提供するものである。本発明における外部情報を再生する方法およびこの方法を応用した再生システムは、例えばインターネットテレビまたは個人の動画・音声ウェブページに、広告と言った外部情報を動画中に挿入可能な、オンラインにおける配信動画再生システムに応用可能である。
【００１１】
図２ａは本発明の一実施例における再生システム２０の構成ブロック図である。この実施例のおける再生システム２０は外部情報バナーデータベース２０１と、ネットワークサーバ２０２と、動画データベース２０３と、再生手段２０４と、タイマ２０５と、パラメータ設定手段２０６と、比較器２０７と、セレクタ２０９とを備えている。外部情報バナーデータベース２０１および動画データベース２０３はそれぞれネットワークサーバ２０２に接続されている。本実施例においては、比較器２０７およびセレクタ２０９は外部情報バナーデータベース２０１に接続されている。そしてその他の実施例においては、比較器２０７およびセレクタ２０９はネットワークサーバ２０２に接続されて、同じ働きを実行することができる。ネットワークサーバ２０２はインターネット１０００を介して再生手段２０４に接続されている。本実施例においては、タイマ２０５およびパラメータ設定手段２０６は各々再生手段２０４に接続されている。しかしながら、他の実施例においては、タイマ２０５およびパラメータ設定手段２０６は再生手段２０４に内蔵されたものでもよい。一実施例においては、各構成要素はハードウェアであり、その間が例えば有線ＬＡＮまたは無線ＬＡＮの接続方式で実現されてもよく、また他の実施例においては、再生システム２０の構成要素の一部が一台の装置内に組込まれて、そして構成要素の間が電気信号により接続されている。他の実施例においては、再生システム２０中の構成要素の一部が一台の装置の内部にてプログラムの形態で存在し、ソフトウェアを実行することにより各構成要素の機能が達成される。
【００１２】
より詳しく言えば、図２ｂに示すように、外部情報バナーデータベース２０１には複数の外部情報バナーＢ１〜Ｂｍと、対応する複数の外部情報特徴条件テーブルＢＬ１〜ＢＬｍが格納されている。ここで言うところの外部情報バナーとは、例示すれば、あるウェブページへのリンクを表わすリンクマークか、またはある製品の広告画像とすることができる。外部情報特徴条件テーブルには、複数の外部情報特徴条件Ｃ１〜Ｃｎを格納することができ、このうちｍ、ｎは同一または異なる数字とすることができる。図２ｃに示すように、動画データベース２０３には複数の配信動画ＡＶ１〜ＡＶｘと、対応する外部情報要求パラメータテーブルＡＬ１〜ＡＬｘが格納され、外部情報要求パラメータテーブル内には複数の外部情報要求パラメータＰ１〜Ｐｏを格納でき、このうちｘ、ｏは同一または異なる数字とすることができる。
【００１３】
図２ａに示す再生システム２０では、再生手段２０４がインターネット１０００を介してネットワークサーバ２０２に接続されており、動画データベース２０３から配信動画ＡＶ１を読み取るとともに再生要求を行う。そしてネットワークサーバ２０２は再生要求のあった配信動画ＡＶ１に対応する外部情報要求パラメータテーブルＡＬ１に基づいて、外部情報バナーデータベース２０１に接続されているセレクタ２０９がこれに基づいて外部情報バナーデータベース２０１中から、外部情報要求パラメータの一つに対応する例えばＢ１といった外部情報バナーを選択し、再生手段２０４に送信する。
【００１４】
図２ｂは本発明の再生システム２０が配信動画を再生する画面を図示している。図２ｂから理解できるように、再生手段２０４は配信動画ＡＶ１を再生するとともに、外部情報バナーＢ１を再生する。しかも外部情報バナーＢ１および配信動画ＡＶ１は一部で重なっている。具体的に言えば、配信動画ＡＶ１は動画ウインドウ内で再生され、そして外部情報バナーＢ１もまた同一の動画ウインドウ内で再生されるので、配信動画ＡＶ１の一部は画像と重なっている。
【００１５】
引き続き図２ａを参照されたい。再生手段２０４に接続されているタイマ２０５は、一実施例においては、再生手段２０４が配信動画を特定動画の秒数再生したとき、外部情報バナーを再生する。例示するならば、特定動画の秒数はシステムに予め設定されている特定秒数、例えば、配信動画を１分間再生するごとに、外部情報バナーを再生することを表わしている。これ以外にも、特定動画の秒数は、配信動画において外部情報要求パラメータが発生する秒数、例えば動画の内容がある商品名を提示する例えば４５秒目といった秒数で、この商品の対応する外部情報バナーを再生することを表わしている。他の実施例においては、タイマ２０５が時計であり、所定の絶対時間、例えば夜８時に、外部情報バナーを再生することができる。
【００１６】
図２ａに示す実施例においては、パラメータ設定手段２０６は再生手段２０４に接続されて、再生したい配信動画の対応する外部情報要求パラメータを設定する。異なる実施例において、パラメータ設定手段２０６は異なる装置とすることができる。一実施例においては、パラメータ設定手段２０６は、動画データベース２０３中の配信動画を構文解析して、例えば動画タイトル、動画のダイジェスト、予め設定されている動画タグ（Ｔａｇ）といった動画内容に関連するバナー情報を得るか、または、例えばこの配信動画をアップロードしたユーザの情報、動画企業主の情報、またはこの動画企業主と提携している広告業者の情報などといった配信動画の出所の特徴情報を構文解析するための解析器である。簡単に言えば、再生したい配信動画中に含まれる動画関連情報は、何れも再生手段２０４を経由して動画データベース２０３から得られた配信動画であり、そして外部情報要求パラメータとして、解析器２０６を用いて配信動画中から構文解析される。他の実施例においては、パラメータ設定手段２０６は、ユーザがこれを介して、例えばユーザが動画に設定したキーワード、または何らかのその他自発的に定義したキーワードといった外部情報要求パラメータを手作業で設定する設定インターフェイスである。他の実施例においては、パラメータ設定手段２０６は、配信動画に対して識別を行い、所定の映像が識別された場合には、この映像を外部情報要求パラメータとして格納する映像識別器であって、例示すれば、映像はスポーツ関係の映像、またはある有名人に関連する映像などとすることができる。他の実施例においては、パラメータ設定手段２０６は、配信動画に対して音声識別を行い、もし所定の音声が識別された場合には、この音声を外部情報要求パラメータとして格納する音声識別器である。
【００１７】
図２ａにおいて、比較器２０７は外部情報バナーデータベース２０１に接続されており、動画データベース２０３から取得した配信動画ＡＶ１の外部情報要求パラメータＰと、外部情報バナーデータベース２０１から取得した外部情報バナーＢの外部情報特徴条件Ｃとを比較する。さらに図２ｅを参照されたい。図２ｅは本発明の一実施例における外部情報要求パラメータテーブル、および外部情報特徴条件テーブルの図面である。本実施例においては、外部情報バナーは広告バナーであり、外部情報要求パラメータおよび外部情報特徴条件は特定の語彙である。この例における広告バナーは、予め広告業者が本再生システム２０を通じて外部情報バナーデータベース２０１内に格納されているものである。図２ｅを参照されたい。動画データベース２０３中の配信動画ＡＶ１および対応する外部情報要求パラメータテーブルＡＬ１では、例えば「赤ちゃん」、「女性」といった複数の外部情報要求パラメータが格納されている。そして外部情報バナーデータベース２０１中の外部情報バナーＢ１は、例えば女性向け雑誌の広告バナー、および対応する外部情報特徴条件テーブルＢＬ１であって、この中には例えば「女性」、「流行」といった複数の外部情報特徴条件が格納されている。比較器２０７は前記外部情報要求パラメータと前記外部情報特徴条件とを比較して、同じ語彙である「女性」を得る。つまり、比較器２０７が同一の比較結果を得ることで、女性雑誌の広告バナーＢ１および配信動画ＡＶ１が再生手段２０４により同期して再生される。以上の例示において、比較方法はＯＲの演算ロジックを用いるものであるので、その中の１つのパラメータが一致するだけで、比較結果は同一となる。しかしながら、他の実施例においては、異なる演算ロジック、例えばＡＮＤ演算ロジックであり得る。言い換えれば、もしＡＮＤ演算ロジックで比較を行う場合、パラメータすべてが一致するわけではないので、以上の例では一致しない比較結果が得られて、女性雑誌の広告バナーＢ１は再生されない。
【００１８】
図３に示すのは再生システム２０をさらにインターネット環境中に応用する実施例の構成ブロック図である。外部情報バナーデータベース２０１、動画データベース２０３、比較器２０７およびセレクタ２０９は、それぞれネットワークサーバ２０２を介してインターネット１０００に接続されている。本実施例においては、再生手段２０４、タイマ２０５およびパラメータ設定手段２０６はユーザのコンピュータ４０内に設けられている。ユーザのコンピュータ４０はインターネット１０００を介してネットワークサーバ２０２にアクセスする。仮に、ユーザのコンピュータ４０がネットワークサーバ２０２に構築されているウェブページ上で、選択した配信動画ＡＶ１を観賞したい場合、ネットワークサーバ２０２は動画データベース２０３から配信動画ＡＶ１にアクセスするとともに、インターネット１０００を介して再生手段２０４に送信されて再生される。外部情報バナーデータベース２０１に接続されている比較器２０７は、配信動画ＡＶ１が対応する外部情報要求パラメータテーブルＡＬ１中の外部情報要求パラメータと、外部情報の特徴条件テーブルＢＬ１中の外部情報特徴条件とを比較し、一致する比較結果、つまり対応する外部情報特徴条件の有無を確認する。続いて、セレクタ２０９が、比較結果が一致する外部情報要求パラメータの対応する外部情報特徴条件に基づいて、外部情報バナーデータベース２０１から対応する外部情報バナーＢ１を選択する。外部情報バナーデータベース２０１はこれにより選択された外部情報バナーＢ１を出力し、そしてネットワークサーバ２０２を経由してインターネット１０００を介して再生手段２０４に送信されて再生される。
【００１９】
引き続き図３を参照されたい。外部情報バナーデータベース２０１はネットワークサーバ２０２を経由するとともに、インターネット１０００を介して外部情報システム５０に接続されている。外部情報バナーデータベース２０１中に格納されている外部情報バナーＢ１は、ネットワークサーバ２０２に作成されているウェブページ上で、外部情報のウェブページリンク（ｌｉｎｋ）の対応するリンクマークである。つまり、ユーザのコンピュータ４０がアクセスするウェブページは、ユーザのコンピュータ４０がウェブページを介してウェブページ上で再生される外部情報バナーＢ１の起動コマンドまたは終了コマンドを入力することで、外部情報システム５０に接続するか否かを決定するユーザインターフェイスである。具体的には、ユーザのコンピュータ４０は、ウェブページ上に表示されている外部情報バナーＢ１をクリックして、外部情報システム５０に接続して、ひいては対応する外部情報を観賞することができるということである。反対に、もしユーザのコンピュータ４０が外部情報に接続したくないのであれば、再生中の外部情報バナーＢ１を取消して終了することができる。この例においては、ユーザのコンピュータ４０が外部情報バナーをクリックして外部情報に接続したとき、ユーザのコンピュータ４０内の再生手段２０４は再生中の配信動画ＡＶ１を一時停止するものであり、しかも再生手段２０４は一時停止した時点を記録可能なキャッシュを備えている。ユーザのコンピュータ４０の外部情報システム５０に対するアクセスが終了した後、再生手段２０４がキャッシュに記録されている時点を読み取り、引き続き、一時停止した時点から配信動画ＡＶ１の継続再生を始める。
【００２０】
図４は本発明の一実施例において、配信動画中で外部情報バナーを再生する方法の手順の簡略な概略図である。ユーザのコンピュータ４０がある配信動画の再生を要求すると、ステップ１０１０を開始して、配信動画に対応する外部情報要求パラメータを取得する。ステップ１０２０において、再生システムが配信動画の再生を開始する。続いて、ステップ１０３０では、ステップ１０１０で取得した外部情報要求パラメータに基づいて、対応する外部情報バナーを再生する。ステップ１０３０にて再生される外部情報バナーは配信動画と同期して再生または表示され、言い換えれば、配信動画の再生中に、同時に外部情報バナーもまた再生／表示されるとともに、両者の画像は一部分が重なるというものである。
【００２１】
図５ａは本発明において、外部情報要求パラメータをどのように設定するかの方法を詳しく説明しており、これに基づいて対応する外部情報バナーを再生する手順の概略図である。ステップ１００５では、外部情報要求パラメータを設定する。一実施例においては、ステップ１００５は、再生したい配信動画を構文解析し、配信動画中に含まれる動画内容に関連するバナー情報を取得する。このうち、動画内容バナーには、例えば動画タイトル、動画のダイジェスト、予め設定されている動画タグ（Ｔａｇ）といった動画内容に関連する各種情報が含まれる。動画内容バナーはまた、例えばこの配信動画をアップロードしたユーザの情報、動画企業主の情報、またはこの動画企業主と提携している広告業者の情報などといった配信動画の出所の特徴情報としてもよい。この実施例においては、ステップ１００５の後に図４に示すステップ１０１０、ステップ１０２０およびステップ１０３０を実行する。ステップ１０３０では配信動画の動画内容バナーが発生した特定部分で、対応する外部情報を再生する。
【００２２】
他の例においては、ステップ１００５では、外部情報要求パラメータをユーザが手作業で設定する。例えば、ユーザは、外部情報要求パラメータとして動画に対してキーワードを設定するか、または外部情報要求パラメータとして何らかのその他自発的に定義したキーワードを設定する。そして次のステップ１０１０から１０３０は図４に示す実施例と同じである。
【００２３】
他の実施例においては、図５ｂに示すように、外部情報要求パラメータを設定するステップ１００５がステップ１００５ａと、１００５ｂと、判断ステップ１００７とを含んでいる。ステップ１００５ａでは配信動画中に含まれる映像または音声の識別を行う。ステップ１００７において、もし特定の映像または音声が識別されなかった場合、ステップ１００５ａを繰り返すものであるが、繰り返しの回数は所定の回数とすることができる。もしステップ１００７において、特定の映像または音声が識別されたと判定された場合、引き続きステップ１００５ｂに進む。ステップ１００５ｂでは、この映像または音声を外部情報要求パラメータとして格納する。
【００２４】
図６に示すように、本発明の一実施例において、外部情報特徴条件に基づいて、外部情報バナーを配信動画中で再生する方法の手順説明の発展的な概略図である。本実施例において、新たにステップ１００６およびステップ１０１１が追加されている。ステップ１００６では、外部情報バナーが対応する外部情報特徴条件を設定する。続いて、ステップ１０１０を実行して、外部情報要求パラメータおよび外部情報特徴条件を取得する。その後、１０１１を実行して、さらに外部情報特徴条件と外部情報要求パラメータとを比較する。もし比較結果が一致している場合、引き続きステップ１０２０を実行し、もし比較結果が一致しない場合、１０１１を繰り返して実行する。ステップ１０２０で配信動画の再生を開始する。続いて、ステップ１０３０でさらに外部情報バナーを再生する。ステップ１０３０における外部情報バナーは前出のステップ１０１１中に対応しており、比較結果は一致する外部情報特徴条件である。
【００２５】
図７に示すのは本発明の一実施例の方法のフローチャートであり、特定時間に基づいて外部情報を再生するステップをさらに含む。ステップ１０２２において、特定時間を計算するが、このうちこの特定時間は配信動画の特定秒数であるか、または例えば夜８時というように絶対時間とすることができる。例においては、ステップ１０２２にて配信動画の特定秒数までの再生を計算するとき、ステップ１０３０を継続し、外部情報バナーを再生する。例示すれば、ステップ１０２２において、配信動画の動画内容がある商品名称を提示する秒数を、例えば４５秒で計算して、ステップ１０３０を実行し、この商品の対応する外部情報バナーを再生する。
【００２６】
図８ａは、本発明の一実施例において、外部情報バナーに基づいて外部情報に接続する手順の概略図をより発展的に説明している。ステップ１０４０において、外部情報バナーから起動コマンドを受け取るが、この起動コマンドは外部情報に接続する指示に関するものであり、例えば、ユーザが外部情報バナーをクリックすることを起動コマンドとして見なしている。続いてステップ１０４５を実行して、配信動画の再生を一時停止する。その後のステップ１０５０において配信動画を一時停止した時点を記録する。ステップ１０６０で外部情報に接続して再生する。外部情報の再生が完了すると、次のステップ１０６５で終了していない配信動画を一時停止した時点から引き続き再生する。
【００２７】
図８ｂに示すのは、本発明の一実施例において、外部情報バナーを取り消す方法の手順を詳しく説明する概略図である。図８ａ中と異なるのは、図７のステップ１０３０の後に、行われるステップ１０４１にて終了コマンドを受け取るところであり、この終了コマンドは外部情報バナーを取り消すものに関するので、次のステップ１０４６で外部情報バナーの再生を終了または取り消す。
【００２８】
確かに上記実施例にて述べる配信動画中で外部情報バナーを再生する方法の手順において、そのうちのステップの前後順序があるものの、あるステップの順序、例えばステップ１００５における外部情報要求パラメータを設定するもの、およびステップ１００６における外部情報バナーが対応する外部情報特徴条件を設定するものは調整変更することができる。以上のステップの順序は本発明の範囲に限定されるものではない。
【００２９】
本発明は上記関連する実施例によりすでに説明されているが、上記実施例は単に本発明を実施する範例に過ぎない。言及すべきは、開示されている実施例は本発明の範囲を限定するものではないということである。反対に、特許請求の範囲の技術的思想および範囲に含まれる修正および均等な配置はいずれも本発明の範囲内に含まれるものである。
【図面の簡単な説明】
【００３０】
【図１ａ】ウェブページ上に広告を再生する従来技術の表示方式の概略図である。
【図１ｂ】ウェブページ上に広告を再生する他の従来技術の表示方式の概略図である。
【図２ａ】本発明の再生システムの構成ブロック図である。
【図２ｂ】本発明の再生システムの外部情報バナーデータベースの概略図である。
【図２ｃ】本発明の再生システムの動画データベースの概略図である。
【図２ｄ】本発明の再生システムにおいて配信動画および外部情報バナーを再生する概略図である。
【図２ｅ】本発明の外部情報要求パラメータテーブルおよび外部情報特徴条件テーブルの概略図である。
【図３】本発明の再生システムをインターネットに応用する構成ブロック図である。
【図４】本発明における配信動画中で外部情報バナーを再生する方法の手順の簡略な概略図である。
【図５ａ】本発明がさらに外部情報要求パラメータを設定する方法のフローチャートである。
【図５ｂ】本発明の一実施例において外部情報要求パラメータを設定する方法のフローチャートである。
【図６】本発明がさらに外部情報特徴条件に基づいて外部情報バナーを再生する方法のフローチャートである。
【図７】本発明がさらに特定時間に基づいて外部情報を再生する方法のフローチャートである。
【図８ａ】本発明がさらに外部情報バナーに基づいて外部情報に接続する方法のフローチャートである。
【図８ｂ】本発明がさらに外部情報バナーを取り消す方法のフローチャートである。
【符号の説明】
【００３１】
２０…再生システム
２０１…外部情報バナーデータベース
２０２…ネットワークサーバ
２０３…動画データベース
２０４…再生手段
２０５…タイマ
２０６…パラメータ設定手段
２０７…比較器
２０９…セレクタ
４０…ユーザのコンピュータ
５０…外部情報システム
１０００…インターネット
ＡＶ１〜ＡＶｘ…配信動画
ＡＬ１〜ＡＬｘ…外部情報要求パラメータテーブル
Ｂ１〜Ｂｍ…外部情報バナー
ＢＬ１〜ＢＬｍ…外部情報特徴条件テーブル
Ｃ１〜Ｃｎ…外部情報特徴条件
Ｐ１〜Ｐｏ…外部情報要求パラメータ
【図１ａ】
2009105885.tif 000003
【図１ｂ】
2009105885.tif 000004
【図２ａ】
2009105885.tif 000005
【図２ｂ】
2009105885.tif 000006
【図２ｃ】
2009105885.tif 000007
【図２ｄ】
2009105885.tif 000008
【図２ｅ】
2009105885.tif 000009
【図３】
2009105885.tif 000010
【図４】
2009105885.tif 000011
【図５ａ】
2009105885.tif 000012
【図５ｂ】
2009105885.tif 000013
【図６】
2009105885.tif 000014
【図７】
2009105885.tif 000015
【図８ａ】
2009105885.tif 000016
【図８ｂ】
2009105885.tif 000017